(57)【要約】      （修正有）【課題】装着されたディスク状媒体の再生方法を知ることができるディスク状媒体及びディスク装置を提供する。【解決手段】リードインエリヤ、ユーザーデータエリヤおよびリードアウトエリヤを有したディスク状媒体１に所用の情報を記録または再生するディスク装置において、記録・再生時、何れのエリヤを実行中であるか、また、実行中におけるエラーの発生を音声の鳴動で示す音声データを保持するデータ保持手段１７と、その音声データを音声信号に変換して出力する音声信号出力手段１４と、情報記録・再生時、書き込み不能や読み取り不能を含むエラーを検出してエラー検出信号を出力するエラー検出手段６を備え、記録・再生を開始すると、実行中のエリヤに応じた音声データを音声信号出力手段１４に送出し、さらに、エラー検出手段６からエラー検出信号が入力したときは、その音声データを抽出して送出する制御を行う制御手段１６を有する。【選択図】      図１
2006066031.tif 000002
【特許請求の範囲】
【請求項１】
リードインエリヤ、ユーザーデータエリヤおよびリードアウトエリヤを有したディスク式情報記憶媒体に所用の情報を記録または当該記録情報を再生するディスク装置において、
前記ディスク式情報記憶媒体の情報記録・再生時、前記何れのエリヤを実行中であるか、また、この実行中におけるエラーの発生をそれぞれ異なる音声の鳴動で示すための音声データを保持するデータ保持手段と、
前記音声データを音声信号に変換してスピーカ側に出力する音声信号出力手段と、
前記ディスク式情報記憶媒体の情報記録・再生時、書き込み不能や読み取り不能を含む各種エラーを検出してエラー検出信号を出力するエラー検出手段と、
前記ディスク式情報記憶媒体の情報記録・再生を開始すると、実行中のエリヤに応じた音声データを前記データ保持手段から抽出して前記音声信号出力手段に送出し、さらに、前記エラー検出手段からエラー検出信号が入力したときは、その音声データを抽出して送出する制御を行う制御手段と、を備えたディスク装置。
【請求項２】
前記データ保持手段が、前記音声をエリヤ毎に鳴動させるか全てのエリヤで鳴動させるかの選択、前記音声の鳴動回数、前記音声の鳴動間隔、前記音声の種別といった設定項目のデータを保持し、
前記設定項目をメニューとしてモニタの画面に表示させるメニューキー、前記設定項目の何れかを選択して決定する設定キーを備え、
前記制御手段が、前記メニューキーからの指令を受けて前記データ保持手段より設定項目のデータを抽出して前記モニタの画面に設定項目のメニューを表示させ、前記設定キーからの指令に応じてその選択内容を前記データ保持手段に保持させることを特徴とする請求項１に記載のディスク装置。
【請求項３】
前記記制御手段が、前記各エリヤに情報を記録または当該記録情報の再生を開始するとき、それぞれの音声データを各１回抽出して前記音声信号出力手段に送出することを特徴とする請求項１に記載のディスク装置。
【請求項４】
前記記制御手段が、前記ユーザーデータエリヤに情報を記録するとき、その音声データを一定の時間間隔をあけて抽出して前記音声信号出力手段に送出することを特徴とする請求項１に記載のディスク装置。
【請求項５】
前記音声を鳴動させる指令を発する効果音用キーを備え、前記データ保持手段が、前記ユーザーデータエリヤのアドレを複数に区分して異なる音色の音声を鳴動させる音声データを保持し、
前記制御手段が、前記ユーザーデータエリヤの情報再生時、前記効果音用キーから鳴動指令が入力すると、前記データ保持手段から再生実行中のアドレスに対応した音声データを抽出して前記音声信号出力手段に送出することを特徴とする請求項１に記載のディスク装置。
【発明の詳細な説明】
【技術分野】
【０００１】
本発明は、ＤＶＤ(Digital Versatile Disc)に情報を記録・再生するＤＶＤプレイヤー等のディスク装置に係り、特に、ユーザーが映像・音声情報（ＡＶ情報）をＤＶＤに記録したり、この記録情報を再生するときにその箇所を音声で判別可能としたディスク装置に関する。
【背景技術】
【０００２】
ユーザーが動作内容を容易に判別できるようにするＡＶ機器が各種提案されている。その一例として、通常の動作を続けたままダビングを行えるようにする情報記録再生システムが知られている（例えば、特許文献１参照）。
【０００３】
このものは、第１の記録再生装置（ハードディスク装置などの高速装置）、第２の記録再生装置（ＤＶＤ―ＲＡＭなどの低速装置）比較器および残り時間表示装置を備えて構成されている。
【０００４】
そして、第１の記録再生装置から第２の記録再生装置のＤＶＤ―ＲＡＭ等にＡＶ情報をダビングするとき、比較器が両装置の転送レートを比較し、遅い方の転送レートにあわせてＡＶ情報の転送速度を制御してダビングする。
【０００５】
このとき、比較器から得られる遅い方の転送レートと、所望のＡＶ情報のダビングすべき残量とからダビング終了までの残り時間を計算し、残り時間表示装置にダビング終了までの残り時間を表示するようになっている。
【特許文献１】特開２０００−１７５１５０号公報  また、記録残り時間の最小値あるいは予測値を記録に先立って知らせることを目的とした情報信号の記録再生装置が提案されている（例えば、特許文献２参照）。
【０００６】
この記録再生装置は、情報圧縮手段の出力映像信号の単位時間当たりの情報量の最大値を予め決められた値に制限する手段と、記憶手段の記録可能な残り記憶可能容量を検出する手段と、予め決められた単位時間当たりの情報量の最大値と記憶手段の記録可能な残り記憶容量から記憶残り時間を算出する手段と、記録残り時間を表示する手段と、を備えて構成されている。
【０００７】
これにより、単位時間当たりの情報量が一定でない映像信号記録再生装置においても、記憶手段の記憶可能な残り時間の最小値あるいは残り時間の予測値を記録に先立って知ることが可能となる。
【０００８】
よって、記録したい映像データが記憶手段に記録可能であるか否かを事前に判断でき、使い勝手を向上させることができるというものである。
【特許文献２】特開２０００−３４２２４１号公報  また、操作時に発振音を発するようにするカセットテープレコーダも提案されている（例えば、特許文献３参照）。
【０００９】
このカセットテープレコーダは、アドレス信号記録手段と、アドレス信号検索手段と、アドレスキーと、検索中にテープを早く送り、検索後、テープの送り速度を再生速度にする速度制御手段を備えている。
【００１０】
そして、複数個からなるアドレスキーのボタンを操作すると、それぞれ異なる音の発振音を発するようになっている。
【００１１】
これにより、ボタン操作時には、発振音によってそのアドレスキーの種別を知ることができるというものである。
【特許文献３】実開昭５８−７２８９号公報
【発明の開示】
【発明が解決しようとする課題】
【００１２】
しかしながら、上記特許文献１の情報記録再生システムは、ＤＶＤ―ＲＡＭ等にＡＶ情報をダビングするとき、ダビング終了までの残り時間を表示することはできるが、現在のダビング位置等を音声で知らせるものではなかった。
【００１３】
よって、ユーザーは、残り時間表示装置を見に行かなければどの程度進んでいるかを把握することはできず、何か用事をしているときに、その場を離れる必要があるため、それを一時中断しなければならなかった。
【００１４】
また、上記特許文献２の記録再生装置は、映像データを記憶手段に記録するとき、記憶可能な残り時間の最小値あるいは残り時間の予測値を記録に先立って知らせることはできるが、映像データの記録時に現在の記録位置等を音声で知らせるものではなかった。
【００１５】
よって、ユーザーは、映像データの記録がどの程度進んでいるかを把握することはできず、残り時間を知ることができないという不便さがあった。
【００１６】
また、上記特許文献１の情報記録再生システムおよび２の記録再生装置は、表示を見なければ内容が判らないので、目の不自由な人には不便なものであった。
【００１７】
さらに、上記特許文献３のカセットテープレコーダは、ボタン操作時に発振音によってそのアドレスキーの種別を知らせることから、目の不自由な人にも便利であるが、発振音はアドレスキーの種別を知らせるだけになっている。
【００１８】
このため、磁気テープやＤＶＤ等の光ディスクにＡＶ情報を記録したり、この記録情報を再生するとき、現在実行中の位置を音声で知ることはできず、目の不自由な人にもやはり不便さが残るものであった。
【００１９】
本発明は、上記問題に鑑みてなされたもので、ディスク式情報記憶媒体にＡＶ情報を記録したり、この記録情報を再生するときにその記録・再生位置やエラーの発生をユーザーに音で知らせることのできるディスク装置を提供することを目的としている。                
【課題を解決するための手段】
【００２０】
上記目的を達成するため、本発明によるディスク装置は、リードインエリヤ、ユーザーデータエリヤおよびリードアウトエリヤを有したディスク式情報記憶媒体に所用の情報を記録または当該記録情報を再生するディスク装置において、前記ディスク式情報記憶媒体の情報記録・再生時、前記何れのエリヤを実行中であるか、また、この実行中におけるエラーの発生をそれぞれ異なる音声の鳴動で示すための音声データを保持するデータ保持手段と、前記音声データを音声信号に変換してスピーカ側に出力する音声信号出力手段と、前記ディスク式情報記憶媒体の情報記録・再生時、書き込み不能や読み取り不能を含む各種エラーを検出してエラー検出信号を出力するエラー検出手段と、前記ディスク式情報記憶媒体の情報記録・再生を開始すると、実行中のエリヤに応じた音声データを前記データ保持手段から抽出して前記音声信号出力手段に送出し、さらに、前記エラー検出手段からエラー検出信号が入力したときは、その音声データを抽出して送出する制御を行う制御手段と、を備えている。
【００２１】
また、前記データ保持手段が、前記音声をエリヤ毎に鳴動させるか全てのエリヤで鳴動させるかの選択、前記音声の鳴動回数、前記音声の鳴動間隔、前記音声の種別といった設定項目のデータを保持し、前記設定項目をメニューとしてモニタの画面に表示させるメニューキー、前記設定項目の何れかを選択して決定する設定キーを備え、前記制御手段が、前記メニューキーからの指令を受けて前記データ保持手段より設定項目のデータを抽出して前記モニタの画面に設定項目のメニューを表示させ、前記設定キーからの指令に応じてその選択内容を前記データ保持手段に保持させる。
【００２２】
また、前記記制御手段が、前記各エリヤに情報を記録または当該記録情報の再生を開始するとき、それぞれの音声データを各１回抽出して前記音声信号出力手段に送出するようになっている。
【００２３】
また、前記記制御手段が、前記ユーザーデータエリヤに情報を記録するとき、その音声データを一定の時間間隔をあけて抽出して前記音声信号出力手段に送出するようになっている。
【００２４】
また、本発明のディスク装置は、前記音声を鳴動させる指令を発する効果音用キーを備え、前記データ保持手段が、前記ユーザーデータエリヤのアドレを複数に区分して異なる音色の音声を鳴動させる音声データを保持し、前記制御手段が、前記ユーザーデータエリヤの情報再生時、前記効果音用キーから鳴動指令が入力すると、前記データ保持手段から再生実行中のアドレスに対応した音声データを抽出して前記音声信号出力手段に送出するようになっている。
【発明の効果】
【００２５】
以上説明したように、本発明のディスク装置は、ディスク式情報記憶媒体のリードインエリヤ、ユーザーデータエリヤおよびリードアウトエリヤに所用の情報を記録または当該記録情報を再生するとき、実行中のエリヤに応じた音声が鳴動するので、ユーザーはそれがどの位置であるかを容易に把握できるうえ、この実行中にエラーが発生したときも直ぐに知ることができる。よって、健常者は勿論、目の不自由な人にとって利便性が高められる効果がある。
【００２６】
また、前記音声をエリヤ毎に鳴動させるか全てのエリヤで鳴動させるかの選択、前記音声の鳴動回数、前記音声の鳴動間隔、前記音声の種別といった設定項目を任意に選択して設定しておき、ディスク式情報記憶媒体に情報を記録または当該記録情報を再生する際、最適な条件で音声を鳴動させることができる利点がある。
【００２７】
また、前記各エリヤに情報を記録または当該記録情報の再生を開始するとき、それぞれの音声データを各１回抽出して前記音声信号出力手段に送出するので、情報の記録開始もしくは再生開始する毎に音声を鳴動させることができる利点がある。
【００２８】
また、前記ユーザーデータエリヤに情報を記録するとき、その音声データを一定の時間間隔をあけて抽出して前記音声信号出力手段に送出するため、ユーザーデータエリヤへの情報の記録時は音声の鳴動によって実行中であることを知ることができる利点がある。
【００２９】
また、前記ユーザーデータエリヤの情報再生時、前記効果音用キーから鳴動指令が入力すると、前記データ保持手段から再生実行中のアドレスに対応した音声データを抽出して前記音声信号出力手段に送出するため、ユーザーデータエリヤの情報再生中は効果音用キーの操作によって再生位置を容易に知ることができる利点がある。
【発明を実施するための最良の形態】
【００３０】
以下、本発明のディスク装置の実施形態について、図面を参照しながら詳述する。
【００３１】
図１は本発明の一実施形態であるディスク装置の電気的構成を示すブロック線図である。
【００３２】
本実施形態のディスク装置は、ＤＶＤレコーダーに適用されたもので、リモコン (リモートコントローラ) ２２の押キー操作によりＤＶＤ１の記録情報を再生し、また、外部入力の情報をＤＶＤ１に記録させる構成になっている。なお、本例では、再生機能を主体に説明する。
【００３３】
このＤＶＤ１は、リードインエリヤ、ユーザーデータエリヤおよびリードアウトエリヤからなり、ユーザーデータエリヤに、例えば、映画番組等の映像・音響情報（ＡＶ情報）が記録される。
【００３４】
このようなＤＶＤ１は、ユーザーデータエリヤにＡＶ情報をディジタルデータで書き込むとき、スパイラル状の記録トラックにおける細かなポイント(位置)を示すためのアドレスが予めふられている。このアドレスは、ＡＶ情報の最初の記録位置から最後の記録位置までの経過時間に対応している。
【００３５】
そして、リードインエリヤのＴＯＣ領域には、各チャプターおよび各タイトルの記録位置が、記録開始位置(タイトル番号１のチャブター１番目)からの経過時間情報に対応させたアドレスデータで記録されている。
【００３６】
よって、このＴＯＣ領域のデータが読み出されると、記録トラックのユーザーデータエリヤに記録された映画等のタイトル番号、チャプター番号、これらの記録開始および終了位置、さらに、詳細な記録時間等をモニタ２３の画面２３aに表示可能である。
【００３７】
また、リードアウトエリヤには、ＡＶ情報の記録が終了したことを示すデータが書き込まれる。
図１において、２はＤＶＤ１を載置するディスクトレイであり、ディスクモータ３によって回転駆動される。また、４は光ピックアップであり、ＤＶＤ１のトラックから光学的に読み取った再生情報をＲＦアンプ５に出力する。
【００３８】
このＲＦアンプ５は、再生情報を信号処理部であるＤＳＰ（Digital Signal Processor）６とサーボ制御部７とに送出する。このサーボ制御部７の出力は、ＤＳＰ６に導かれている。
【００３９】
これらＲＦアンプ５、ＤＳＰ６およびサーボ制御部７等は、ＤＶＤ１から情報を再生するマイクロコンピュータ（以下、フロントエンドマイコンと称する）９によって制御されるようになっている。
【００４０】
ＤＳＰ６には、トラックバッファＲＡＭ８が接続されており、ＲＦアンプ５によって増幅され、ＤＶＤ規格に従いデコードされたデータ（但し、ここでは、ＭＰＥＧ：Motion Picture Expert Groupにより圧縮されている）を一旦格納するようになっている。
【００４１】
また、このＤＳＰ６は、Ａ／Ｖ（Audio/Video）デコーダ１２を介してビデオエンコーダ１３とＤ／Ａコンバータ１４とに接続されている。
【００４２】
ところで、このＤＳＰ６は、トラックバッファＲＡＭ８にＤＶＤ１からのデータを格納するとき、エラーが発生すると所定の数値データからなるエラーコードを生成してフロントエンドマイコン９に送出する。
【００４３】
このエラーは、ＤＶＤ１の記録面にキズが生じていたとき、再生時に読み取り不能となってトラックバッファＲＡＭ８にデータを格納できない場合等に発生する。
【００４４】
なお、ＤＶＤ１に情報を記録する機能を有したＤＶＤレコーダーも同様にエラーコードを生成して出力する。
記録時のエラーは、ＤＶＤ１への書き込み情報として入力するデータストリームを光ピックアップ４側に送出できない場合等に発生する。
【００４５】
サーボ制御部７は、フロントエンドマイコン９からＤＳＰ６を介して送受信されるコマンドや制御データに従い、光ピックアップ４に対するフォーカシングサーボやトラッキングサーボのサーボ制御を行う。
【００４６】
また、光ピックアップ４をＤＶＤ１の半径方向に移動させるスレッドモーター１０の制御や、ディスクトレイ２を駆動するトレイモーター１１の制御を行う構成となっている。
【００４７】
Ａ／Ｖデコーダ１２は、ＤＶＤ１から再生された各種情報を出力する動作制御を行うマイクロコンピュータ（以下、バックエンドマイコンと称する）１６に接続されている。
【００４８】
このＡ／Ｖデコーダ１２は、トラックバッファＲＡＭ８から読み出されたＭＰＥＧによる圧縮データを伸長するようになっている。
【００４９】
なお、このＡ／Ｖデコーダ１２には、Ａ／ＶデコードＲＡＭ１５が接続されており、前述のように伸長されるディジタルデータのうち数画面分を格納するようになっている。
【００５０】
ビデオエンコーダ１３は、Ａ／Ｖデコーダ１２からのビデオデータをエンコードし、出力端子１３ａを介して図２に示すモニタ２３側に送出する。
【００５１】
また、Ｄ／Ａコンバータ１４は、Ａ／Ｖデコーダ１２からのオーディオデータをアナログ信号に変換し、出力端子１４ａを介して図示省略したスピーカ側に送出する。
【００５２】
１６はバックエンドマイコン１６であり、設定データや効果音のデータ等を記憶するワークＲＡＭ１７を備えている。
【００５３】
この効果音は、電子音であって「ピ」「ピピ」「ピピピ」「ピー」の４種を鳴動させるディジタルデータがコードに対応して記憶されている。なお、「ピ」のディジタルデータはリードインエリヤのコードに、「ピピ」はユーザーデータエリヤに、「ピピピ」はリードアウトエリヤに、「ピー」はエラーにそれぞれ対応している。
【００５４】
また、このワークＲＡＭ１７は、ユーザーデータエリヤのトラックに割り当てたアドレスに対応して効果音の音色の種類データも記憶している。
【００５５】
この効果音の音色は、本例では、Ａ，Ｂ，Ｃ，Ｄの４種であるが、それ以上の音色を記憶して設定可能になっている。
【００５６】
また、バックエンドマイコン１６には、フロントパネルコントローラ１８が接続されている。このフロントパネルコントローラ１８は、ＬＣＤ等からなるフロントパネル１９の制御を行うもので、キー入力部２０の出力や、リモコン２２からの赤外線送信信号を受ける受信部２１の出力が導かれている。
このリモコン２２は、普及型のＤＶＤレコーダーが有する機能と同じ各種操作キーと、効果音を鳴動させるか否かを決定する専用キーを備えている。この専用キーは、普段使用しないキーを兼用にしてもよい。
操作キーとしては、電源オン・オフ用のパワーキー、トレイ開閉用の開閉キー、テンキー、メニューキーおよび設定用の決定キー等を設けている。また、プレイ、ストップ、早送り、早戻しキー等の各種機能キーを備えている。なお、この機能キーは、モニタ２３の画面２３ａ表示されるメニュー項目を選択するカーソルキーを兼ねている。
【００５７】
メニューキーは、図２に示すモニタ２３の画面２３ａにメニュー（MENU）の項目を表示させる指令を出力する。決定キーは、カーソルキーの操作に応じて選択されたメニュー項目を決定する指令を出力する。
【００５８】
このように構成されたリモコン２２は、何れかのキーが押圧操作されると、この操作内容に応じた情報が赤外線信号でＤＶＤプレイヤー１側に送信される。
【００５９】
ところで、バックエンドマイコン１６は、前記フロントエンドマイコン９と双方向性に接続されており、両者９，１６によってディスク装置全体の動作を制御する構成になっている。
【００６０】
すなわち、キー入力部２０またはリモコン２２から指令信号が入力すると、その指令内容に応じてサーボ制御部７を制御し、ＤＶＤ１のリードインエリヤ、ユーザーデータエリヤおよびリードアウトエリヤに情報を記録または当該情報を再生する制御を行う。
【００６１】
また、ＤＶＤ１に情報を記録または当該情報を再生するとき、そのエリヤに応じた音声データをワークＲＡＭ１７から読み出してＤ／Ａコンバータ１４に送出し、スピーカより効果音を鳴動させる。
【００６２】
さらに、この記録・再生中にエラー検出信号が入力すると、ワークＲＡＭ１７からエラーの音声データを読み出してＤ／Ａコンバータ１４に送出し、スピーカより効果音を鳴動させる制御を行う構成になっている。
【００６３】
なお、このＤＶＤレコーダーを使用するユーザーに対し記録時、再生時とも効果音を鳴動させることができることを取り扱い説明書に記してあるものとする。
【００６４】
次に、上記ＤＶＤレコーダーの動作について、図を参照しつつ説明する。
【００６５】
まず、ユーザーがテレビ放送の番組等を記録する場合、ＤＶＤ１をＤＶＤレコーダーのトレイにセットしておく。
【００６６】
この記録に際して効果音を鳴動させるときは、リモコン２２のパワーキーに続きメニューキーを操作する。これらの指令信号を受けたバックエンドマイコン１６は、図２に示すモニタ２３の画面２３ａに「メニュー」および各種項目を表示させる。
【００６７】
ここで、ユーザーがカーソルキーや決定キーを操作し、メニュー項目のうち「効果音の設定」を選択すると、バックエンドマイコン１６は、図３に示すように、効果音に関した細目を表示させる。    
【００６８】
この項目のうち、ユーザーが「鳴動させるか」を“YES”にすると、バックエンドマイコン１６が、ＤＶＤ１への情報記録中に効果音を鳴動させる設定を行う。
【００６９】
つぎに、「全部」か「個別」のうち、「全部」を選択すると、工場出荷当初のままの設定となる。
【００７０】
この効果音の初期設定は、リードインエリヤが「ピ」、ユーザーデータエリヤが「ピピ」、リードアウトエリヤが「ピピピ」、エラーが「ピー」の音色になっている。
【００７１】
続いて、鳴動回数の初期設定は、リードインエリヤが「１回」、ユーザーデータエリヤが「２４回」（２時間のＡＶ情報記録の例で、５分毎に鳴動させる回数に設定してあるが、倍速が変更されても同一の時間間隔となるように鳴動制御される）、リードアウトエリヤが「１回」である。
【００７２】
なお、エラーの鳴動回数は、５秒間隔となるように設定されている。
【００７３】
一方、前記「全部」か「個別」のうち、ユーザーが「個別」を選択すると、それぞれの設定が可能となる。
【００７４】
但し、選択しない項目については、初期設定のままであり、ユーザーデータエリヤにおける「ピピ」といった効果音の音色も変更不要である。
【００７５】
リードインエリヤやリードアウトエリヤの記録時間は、数秒間と短いことから、通常は初期設定のままとされる。
【００７６】
ここで、「個別」にしユーザーデータエリヤを選択した場合は、鳴動回数でなく鳴動間隔を設定する。
【００７７】
この鳴動間隔について、ユーザーが初期設定の５分間隔が耳障りであると感じる場合は、例えば、１０分間隔に設定する。
【００７８】
このときは、テンキーまたはアップ・ダウンキーを操作し、鳴動間隔の分の項目に１０を入力する。
【００７９】
そして、決定キーを操作すると、バックエンドマイコン１６がワークＲＡＭ１７の所定アドレスに数値データを記憶する。これにより、初期設定の倍となる１０分間隔で効果音を鳴動させる設定がなされる。
【００８０】
なお、エラーについても、鳴動間隔を設定することができ、初期設定の５秒より早くしたり、逆に遅くなるように変更してもよい。
【００８１】
このときは、エラーの項目を選択した後、前記キーを操作して、鳴動間隔の秒の項目に５を入力すると、エラー発生時に５秒間隔で効果音を鳴動させる設定がなされる。
【００８２】
このように個別設定した後、ユーザーが番組の記録開始操作を行うと、フロントエンドマイコン９がサーボ制御部７を制御し、ＤＶＤ１への情報記録を開始させる。
【００８３】
これに伴い、バックエンドマイコン１６がワークＲＡＭ１７の設定データに基づいて音声データをＤ／Ａコンバータ１４に送出し、スピーカより効果音を鳴動させる。
【００８４】
リードインエリヤに管理情報を記録するときは「ピ」の音色で鳴動する。また、ユーザーデータエリヤにAV情報を記録するときは「ピピ」が１０分間隔で鳴動する。さらに、リードアウトエリヤに終了情報を記録するときは「ピピピ」が鳴動する。
【００８５】
これにより、ユーザーは、番組の記録が開始されると、どのエリヤを実行中であるかを容易に判別できる。
【００８６】
また、このような情報記録中に、DSP６やトラックバッファＲＡＭ８からエラー検出信号が送出されてくると、「ピー」の音が予め設定した５秒間隔で鳴動する。
【００８７】
よって、ユーザーは、放送番組の記録中にAV情報の書き込みミスがあったことに気づくことができる。
【００８８】
なお、この情報記録中に専用キーを操作すると、効果音の鳴動を一時停止させたり、再び鳴動させることもできる。
【００８９】
次に、ＤＶＤ１から記録情報を再生する場合の設定について説明する。
【００９０】
このときも、メニューキーを操作し、図２に示した画面２３ａで「効果音の設定」を選択する。
【００９１】
そして、キー操作により、図３に示す画面２３ａで「鳴動させるか」を“YES”にすると、ＤＶＤ１の情報再生中に効果音を鳴動させる設定が行われる。
【００９２】
つぎに、「全部」か「個別」のうち、「全部」を選択すると、工場出荷当初のままの設定となり、記録時と同様の内容で効果音を鳴動させることができる。
【００９３】
一方、ユーザーが「個別」側を選択した場合、リードインエリヤやリードアウトエリヤの再生時間を初期設定のままとし、ユーザーデータエリヤを選択したときは、鳴動間隔を設定する。
【００９４】
この鳴動間隔を、記録時と同じにするときは、分の項目に１０を入力して１０分間隔に設定しておく。エラーについても、初期設定の５秒より早くしたり、逆に遅くなるように変更する。
【００９５】
ところで、再生時の設定には、効果音の音色の種類も選択可能となっている。
【００９６】
ユーザーがメニューで「音の種類」を選択したとき、画面２３ａに録画モード、各モード毎に異なる時間分割の図、音色の種類が表示される。
【００９７】
例えば、録画モードＸＰ（高画質：１時間）は２区分、ＳＰ（標準：２時間）は４区分、ＬＰ（長時間：４時間）は８区分等である。
【００９８】
ここで、ユーザーが例えば、標準２時間のＳＰを選択した場合、１区分が３０分となる４区分の表示がなされる。
【００９９】
この４区分の最初に例えばＡ、２番目にＢ、３番目にＣ、最後にＤを入力すると、３０分毎に異なる音色の効果音が鳴動するように設定される。また、ユーザーが長時間の録画モードを選択した場合は、３０分を基準にした複数の区分が表示され、その区分毎に異なる音色を設定することができる。
【０１００】
このように個別設定した後、ユーザーが番組の再生開始操作を行うと、ＤＶＤ１の再生が開始される。
【０１０１】
これに伴い、設定データに基づく音声データがＤ／Ａコンバータ１４に送出されるので、リードインエリヤの管理情報が再生されるときは「ピ」の音色が鳴動する。
【０１０２】
また、ユーザーデータエリヤのAV情報が再生されるときは「ピピ」が１０分間隔で鳴動する。
【０１０３】
なお、「音の種類」を設定していた場合は、ユーザーデータエリヤのAV情報が再生されるとき、３０分毎に異なる音色の効果音が鳴動する。
【０１０４】
さらに、リードアウトエリヤの終了情報が再生されるときは「ピピピ」が鳴動する。
【０１０５】
これにより、ユーザーは、番組の再生が開始されると、どのエリヤを実行中であるかを容易に判別できる。
【０１０６】
また、このような情報記録中に、DSP６やトラックバッファＲＡＭ８からエラー検出信号が送出されてくると、「ピー」の音が予め設定した５秒間隔で鳴動する。
【０１０７】
よって、ユーザーは、放送番組の再生中にAV情報の読み取りミスがあったことに気づくことができる。
【０１０８】
なお、この情報再生中に専用キーを操作すると、記録時と同じく効果音の鳴動を一時停止させたり、再び鳴動させることもできる。
【０１０９】
なお、本発装置明は上記の各実施形態に限定されず、本発明の趣旨を逸脱しない範囲で、種々の変更が可能である。
【図面の簡単な説明】
【０１１０】
【図１】本発明の一実施形態であるディスク装置の電気的構成を示すブロック線図である。
【図２】モニタに表示されたメニューの画面図である。
【図３】モニタに表示された効果音の設定画面図である。
【符号の説明】
【０１１１】
１      ディスク式情報記憶媒体
６      エラー検出手段
１４    音声信号出力手段
１６    制御手段
１７    データ保持手段
【図１】
2006066031.tif 000003
【図２】
2006066031.tif 000004
【図３】
2006066031.tif 000005